(57)【要約】【課題】ケーブルのコストアップを回避しつつ、ユーザが容易に所望の機能を切り替えることを可能とする電子機器およびケーブルを提供する。【解決手段】電子機器１０は、ケーブル２０Ａの接続を、ケーブルの接点端子面の表面または裏面のいずれでも受け付け可能なリバーシブルコネクタを備える。ケーブル２０Ａは、表面と裏面とで非対称となる接点端子の組において、グランド端子と接続される端子を含む。電子機器１０は、ケーブル２０Ａの接点端子と接続するリバーシブルコネクタの接点端子の導通状態を監視することにより、ケーブル２０Ａがリバーシブルコネクタにおいて表面で接続されているか裏面で接続されているかを検出する。電子機器は、検出結果に応じて、リバーシブルコネクタが表面で接続されている場合に第１の機能（急速充電）を発揮し、裏面で接続されている場合に第２の機能（通常の充電）を発揮する。【選択図】図５
2016220422.tif 000002
【特許請求の範囲】
【請求項１】
電子機器であって、
ケーブルの接続を、前記ケーブルの複数の接点端子が配置される接点端子面の表面または裏面のいずれの面でも受け付けることが可能なように構成されたリバーシブルコネクタと、
前記ケーブルと前記リバーシブルコネクタとが接続される場合に、前記ケーブルの接点端子と接続する前記リバーシブルコネクタの接点端子の導通状態を監視することにより、前記ケーブルが前記リバーシブルコネクタにおいて前記ケーブルの接点端子面の表面で接続されているか裏面で接続されているかを検出するように構成された検出部と、
前記検出部による検出結果に応じて、前記リバーシブルコネクタが表面で接続されている場合に第１の機能を前記電子機器に発揮させ、裏面で接続されている場合に第２の機能を前記電子機器に発揮させるように構成された動作制御部とを備える、電子機器。
【請求項２】
前記検出部が前記リバーシブルコネクタにおいて前記ケーブルが表面で接続されているか裏面で接続されているかを検出することは、前記ケーブルが接点端子面の表面と裏面とで非対称となる接点端子の組と接続する前記リバーシブルコネクタの接点端子の導通状態を監視することを含む、請求項１に記載の電子機器。
【請求項３】
前記ケーブルの接点端子面の表面と裏面とで非対称となる接点端子の組は、当該非対称となる表面の接点端子と裏面の接点端子とのうちいずれか一方がグランド接点端子に接続されており、
前記検出部が前記リバーシブルコネクタにおいて前記ケーブルが表面で接続されているか裏面で接続されているかを検出することは、前記ケーブルが表面と裏面とで非対称となる接点端子の組と接続する前記リバーシブルコネクタの接点端子の電圧を監視して、当該リバーシブルコネクタの接点端子の電圧がグランド電圧であるか否かにより前記検出を行うことを含む、請求項２に記載の電子機器。
【請求項４】
前記動作制御部が前記第１または第２の機能を前記電子機器に発揮させることは、前記ケーブルが前記リバーシブルコネクタにおいて表面で接続されているか裏面で接続されているかに応じて、電池の充電電流の大きさを制御することを含む、請求項１から３のいずれか１項に記載の電子機器。
【請求項５】
電子機器のリバーシブルコネクタと接続することが可能なケーブルであって、
前記ケーブルの接点端子面の表面または裏面のいずれの面でも前記電子機器のリバーシブルコネクタに接続することが可能なように構成されており、
前記ケーブルが前記リバーシブルコネクタと接続するための接点端子のうち、前記ケーブルが表面と裏面とで非対称となる接点端子において、表面の接点端子と裏面の接点端子とのうちいずれか一方が前記ケーブルのグランド接点端子に接続されるように構成されている、ケーブル。
【発明の詳細な説明】
【技術分野】
【０００１】
本開示は、スマートフォンなどの電子機器に対してケーブルを接続した際に発揮される機能を切り替える技術に関する。
【背景技術】
【０００２】
スマートフォン、タブレットその他の電子機器は、ケーブルの接続を受け付けるためのコネクタを備える。電子機器は、ケーブルを介してＰＣ（Personal  Computer）、充電装置その他の様々な装置と接続される。例えば、電子機器は、ケーブルを介してＰＣとデータを送受信する、充電装置から供給される電力を受け付けて電子機器の電池を充電する等の様々な機能を発揮することができる。
【０００３】
電子機器をケーブルに接続する態様に応じて機能を切り替えることが可能であると、ユーザにとって利便性が高い。例えば、特表２０１１−５０３８１４号公報（特許文献１）は、電子機器の電池を充電するため小電流充電と大電流充電とを切り替えることができるコネクタを記載している。特許文献１は、２つの機械的位置を切り替えることができる構造を有するコネクタを記載しており、ユーザによって選択される機械的位置に基づいて、特定の機能を可能にしたり、特定の機能を禁止したりすることができるように構成されている。
【先行技術文献】
【特許文献】
【０００４】
【特許文献１】特表２０１１−５０３８１４号公報
【発明の概要】
【発明が解決しようとする課題】
【０００５】
しかし、特許文献１の技術によると、機能を切り替えることを可能にするために機械的位置を切り替える構造をコネクタに搭載する必要があるため、構造が複雑になる。その結果、生産工程の複雑化および部品のコストアップ等につながる。また、ユーザにとっても、機能を切り替える際に、コネクタの機械的位置を切り替えるため、ハウジングをスライドさせる等の操作をユーザが行う必要がある。
【０００６】
したがって、ユーザが機械的位置を切り替える等の作業をすることなく、電子機器に発揮させる機能をいっそう容易に切り替えることを可能とする技術が必要とされている。本開示は、ケーブルのコストアップを回避しつつ、ユーザが容易に所望の機能を切り替えることを可能とする電子機器およびケーブルを提供することを目的としている。
【課題を解決するための手段】
【０００７】
一実施形態に従う電子機器は、ケーブルの接続を、ケーブルの接点端子面の表面または裏面のいずれの面でも受け付けることが可能なように構成されたリバーシブルコネクタと、ケーブルとリバーシブルコネクタとが接続される場合に、ケーブルの接点端子と接続するリバーシブルコネクタの接点端子の導通状態を監視することにより、ケーブルがリバーシブルコネクタにおいてケーブルの接点端子面の表面で接続されているか裏面で接続されているかを検出するように構成された検出部と、検出部による検出結果に応じて、リバーシブルコネクタが表面で接続されている場合に第１の機能を電子機器に発揮させ、裏面で接続されている場合に第２の機能を電子機器に発揮させるように構成された動作制御部とを備える。
【発明の効果】
【０００８】
一実施形態によると、ユーザがリバーシブルコネクタにケーブルを接続する際の接続面を表面とするか裏面とするかという簡易な操作により、容易に所望の機能を切り替えることができる。
【０００９】
この発明の上記および他の目的、特徴、局面および利点は、添付の図面と関連して理解されるこの発明に関する次の詳細な説明から明らかとなるであろう。
【図面の簡単な説明】
【００１０】
【図１】本実施形態における電子機器１０およびケーブル２０の外観を示す図である。
【図２】電子機器１０の構成を示すブロック図である。
【図３】ケーブル２０の接点端子となるコネクタピンの配置を示す図である。
【図４】リバーシブルコネクタ１５１の特定の接点端子の導通状態を監視することで、ケーブル２０の接続が表面であるか裏面であるかを検出する機構を説明する図である。
【図５】ケーブル２０の詳細を示す図である。
【図６】電子機器１０がケーブルの接続面の表裏の検出結果に応じて充電方法を制御する処理を示すフローチャートである。
【図７】電子機器１０に対してケーブルが接続される面に応じて充電の設定が切り替わる処理の画面の表示例を示す図である。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
図１は、本実施形態における電子機器１０およびケーブル２０の外観を示す図である。図１の状態（Ａ）は、本実施形態における電子機器１０と充電回路３０とがケーブル２０によって接続される局面を示す。電子機器１０は、例えばスマートフォンであり、タッチパネル１４１、ディスプレイ１４２、物理操作キー１４３、スピーカ１４８およびリバーシブルコネクタ１５１を備える。リバーシブルコネクタ１５１は、ケーブル２０の接続を、ケーブルの端部にある接点端子面の表面または裏面のいずれの面でも受け付けることが可能なように構成されている。
【００１３】
図１の状態（Ｂ）は、接点端子部２１の第１の面（例えば、表面）をリバーシブルコネクタ１５１と接続する局面におけるケーブル２０の外観を示す。図１の状態（Ｃ）は、接点端子部２１の、第１の面と反対側となる第２の面（例えば、裏面）をリバーシブルコネクタ１５１と接続する局面におけるケーブル２０の外観を示す。状態（Ｂ）および状態（Ｃ）に示すように、ケーブル２０の端部には、ケーブル２０をリバーシブルコネクタ１５１に挿入するための接点端子部２１が形成されている。接点端子部２１は、複数の接点端子が形成されている。ケーブル２０がリバーシブルコネクタ１５１に挿入され、接点端子部２１に形成される接点端子と、リバーシブルコネクタ１５１に形成される接点端子とが接触することでケーブル２０と電子機器１０とが接続される。また、リバーシブルコネクタ１５１と接続する面が、接点端子部２１の第１の面であるか第２の面であるか（表面であるか裏面であるか）をユーザが視認できるように、ケーブル２０の製造工程において、状態（Ｂ）に示すようにケーブル２０の端部に黒丸の印を付している。
【００１４】
＜構成＞
次に、リバーシブルコネクタ１５１を備える電子機器１０の構成を説明する。
【００１５】
図２は、電子機器１０の構成を示すブロック図である。図２に示すように、電子機器１０は、アンテナ１０１と、無線通信部１１１と、タッチパネル１４１と、ディスプレイ１４２と、物理操作キー１４３と、カメラ１４４と、音声処理部１４６と、マイク１４７と、スピーカ１４８と、記憶部１５０と、リバーシブルコネクタ１５１と、電源制御部１５２と、バッテリ１５３と、制御部１６０とを含む。
【００１６】
アンテナ１０１は、電子機器１０が発する信号を電波として放射する。また、アンテナ１０１は、空間から電波を受信して受信信号を無線通信部１１１へ与える。本実施形態では、電子機器１０は、複数の無線通信規格に対応している。
【００１７】
無線通信部１１１は、電子機器１０が他の無線機器と通信するため、アンテナ１０１等を介して信号を送受信するための変復調処理などを行う。無線通信部１１１は、チューナー、ＲＳＳＩ（Received  Signal  Strength  Indicator）算出回路、ＣＲＣ（Cyclic  Redundancy  Check）算出回路、高周波回路などを含む通信モジュールである。無線通信部１１１は、電子機器１０が送受信する無線信号の変復調や周波数変換を行い、受信信号を制御部１６０へ与える。
【００１８】
タッチパネル１４１は、ユーザの入力操作を受け付ける。タッチパネル１４１は、例えば静電容量方式のタッチパネルを用いることによって、ユーザの接触位置を検出する。タッチパネル１４１は、検出したユーザの接触位置を示す信号を入力操作として制御部１６０へ出力する。
【００１９】
ディスプレイ１４２は、制御部１６０の制御に応じて、画像、動画、テキストなどのデータを表示する。ディスプレイ１４２は、例えばＬＣＤ（Liquid  Crystal  Display）や有機ＥＬ（Electro-Luminescence）ディスプレイによって実現される。
【００２０】
物理操作キー１４３は、物理的な入力装置であり、ユーザによる押下操作を受け付ける。物理操作キー１４３は、ユーザの押下操作に応じて、操作内容を示す信号を制御部１６０へ出力する。
【００２１】
音声処理部１４６は、音声信号の変復調を行う。音声処理部１４６は、マイク１４７から与えられる信号を変調して、変調後の信号を制御部１６０へ与える。また、音声処理部１４６は、音声信号をスピーカ１４８へ与える。音声処理部１４６は、例えば音声処理用のプロセッサによって実現される。
【００２２】
マイク１４７は、音声入力を受け付けて、当該音声入力に対応する音声信号を音声処理部１４６へ与える。スピーカ１４８は、音声処理部１４６から与えられる音声信号を音声に変換して当該音声を電子機器１０の外部へ出力する。
【００２３】
記憶部１５０は、例えばフラッシュメモリ等により構成され、電子機器１０が使用するデータおよびプログラムを記憶する。
【００２４】
リバーシブルコネクタ１５１は、ケーブル２０の接続を、ケーブル２０の接点端子面（複数の接点端子が配置された面）の表面または裏面のいずれの面でも受け付けることが可能なように構成されたコネクタである。リバーシブルコネクタ１５１は、通信規格に従って形成されており、例えば「ＵＳＢ（Universal  Serial  Bus）  Ｔｙｐｅ−Ｃ」規格に準拠したコネクタである。
【００２５】
電源制御部１５２は、電子機器１０の各回路に対する電力の供給を制御する。電源制御部１５２は、例えば電源制御用ＩＣ（Integrated  Circuit）である。バッテリ１５３は、電子機器１０の各回路を動作させるための電力を供給する供給源である。バッテリ１５３からの電力は、電源制御部１５２の制御に従って各回路へ供給される。
【００２６】
制御部１６０は、記憶部１５０に記憶されるプログラムを読み込んで、プログラムに含まれる命令を実行することにより、電子機器１０の動作を制御する。制御部１６０は、例えばアプリケーションプロセッサである。制御部１６０は、プログラムに従って動作することにより、コネクタ表裏検出部１６１と、充電動作制御部１６２と、画面表示制御部１６３としての機能を発揮する。
【００２７】
コネクタ表裏検出部１６１は、ケーブル２０とリバーシブルコネクタ１５１とが接続される場合に、ケーブル２０の接点端子（コネクタピン）と接続するリバーシブルコネクタ１５１の接点端子の導通状態を監視することにより、ケーブル２０がリバーシブルコネクタ１５１においてケーブル２０の接点端子面の表面で接続されているか裏面で接続されているかを検出する。コネクタ表裏検出部１６１は、ケーブル２０が接点端子面の表面と裏面とで非対称となる接点端子の組（例えば、図３で後述するピンＡ５とピンＢ５との組）と接続するリバーシブルコネクタ１５１の接点端子の導通状態を監視することで、ケーブル２０の接点端子面の表面で接続されているか裏面で接続されているかを検出する。具体的には、ケーブル２０の接点端子面の表面と裏面とで非対称となる接点端子の組は、表面の接点端子と裏面の接点端子とのうちいずれか一方がグランド接点端子と接続されている。コネクタ表裏検出部１６１は、ケーブル２０が表面と裏面とで非対称となる接点端子の組と接続するリバーシブルコネクタ１５１の接点端子の電圧を監視して、このリバーシブルコネクタ１５１の接点端子の電圧がグランド電圧であるか否かにより、ケーブル２０の接点端子面の表面で接続されているか裏面で接続されているかを検出する。
【００２８】
充電動作制御部１６２は、コネクタ表裏検出部１６１による検出結果に応じて、リバーシブルコネクタ１５１が表面で接続されている場合に第１の機能（例えば、電子機器１０がケーブル２０を介して充電回路３０と接続する場合に、大電流による急速充電を設定する）を電子機器１０に発揮させ、裏面で接続されている場合に第２の機能（例えば、小電流による通常の充電を設定する）を電子機器１０に発揮させる。すなわち、充電動作制御部１６２は、ケーブル２０がリバーシブルコネクタ１５１において表面で接続されているか裏面で接続されているかに応じて、電池の充電電流の大きさを制御する。
【００２９】
画面表示制御部１６３は、ディスプレイ１４２の表示内容を制御する。例えば、画面表示制御部１６３は、充電動作制御部１６２の動作制御の内容に従って、電子機器１０が急速充電中であるか、通常の充電中であるかを示す表示をディスプレイ１４２により行う。
【００３０】
図３は、ケーブル２０の接点端子となるコネクタピンの配置を示す図である。図３に示すように、コネクタピンの配置は、「ＵＳＢ  Ｔｙｐｅ−Ｃ」規格に準拠している。ケーブル２０の接点端子面の表面または裏面のいずれの面でもリバーシブルコネクタ１５１と接続可能とするため、ケーブル２０は、同種のピンを表面と裏面とで対称に配置する。例えば、対象に配置されるピンの組は、電源用の信号線のピンであるピンＡ１（ＧＮＤ（Ground  return））とピンＢ１（ＧＮＤ）との組、ピンＡ４（ＶＢＵＳ（Bus  Power））とピンＢ４（ＶＢＵＳ）との組、ピンＡ９（ＶＢＵＳ）とピンＢ９（ＶＢＵＳ）との組、ピンＡ１２（ＧＮＤ）とピンＢ１２（ＧＮＤ）との組、データ通信に使用される信号線のピンであるピンＡ６（Ｄ＋）とピンＢ６（Ｄ＋）との組、およびピンＡ７（Ｄ−）とピンＢ７（Ｄ−）との組などがある。また、ケーブル２０は、表面と裏面とで異なる種類のピンを配置することがある。すなわち、ケーブル２０は、表面と裏面とで非対称に配置されるピンの組を含む。例えば、非対称に配置されるピンの組は、ピンＡ５（ＣＣ（Configuration  Channel）１）とピンＢ５（ＣＣ２）との組などがある。
【００３１】
＜ケーブル２０の接続面が表面であるか裏面であるかの検出＞
図４を参照して、制御部１６０の充電動作制御部１６２の動作を詳細に説明する。
【００３２】
図４は、リバーシブルコネクタ１５１の特定の接点端子の導通状態を監視することで、ケーブル２０の接続が表面であるか裏面であるかを検出する機構を説明する図である。
【００３３】
図４の状態（Ａ）は、接点端子部２１の第１の面（例えば、表面）とリバーシブルコネクタ１５１とを接続する局面における、リバーシブルコネクタ１５１の接点端子の導通状態を示す図である。状態（Ｂ）は、接点端子部２１の第２の面（例えば、裏面）とリバーシブルコネクタ１５１とを接続する局面における、リバーシブルコネクタ１５１の接点端子の導通状態を示す図である。
【００３４】
接点端子面（Ｔｙｐｅ−Ｃ）２１Ａは、複数の接点端子を含む。状態（Ａ）の例では、４つの接点端子（接点端子２２Ａ，２３Ａ，２４Ａ，２５Ａ）を示している。接点端子面（Ｔｙｐｅ−Ａ）２１Ｂは、複数の接点端子を含む。状態（Ｂ）の例では、４つの接点端子（接点端子２２Ｂ，２３Ｂ，２４Ｂ，２５Ｂ）を示している。これら接点端子のうち、接点端子２２Ａと接点端子２２Ｂとの組、および、接点端子２５Ａと接点端子２５Ｂとの組は、同種のピンが対称に配置されたものである。また、接点端子２４Ａのピンをグランド電位と接続している。リバーシブルコネクタ１５１は、複数の接点端子を含む。状態（Ａ）および状態（Ｂ）の例では、リバーシブルコネクタ１５１が備える複数の接点端子として、端子「ＶＢＵＳ」、端子「ＣＣ１」、端子「ＣＣ２」および端子「ＧＮＤ」を示している。電子機器１０の制御部１６０は、リバーシブルコネクタ１５１の端子「ＣＣ１」および端子「ＣＣ２」の導通状態を監視することにより、ケーブル２０がリバーシブルコネクタ１５１において表面で接続されているか裏面で接続されているかを検出する。すなわち、状態（Ａ）に示すように、ケーブル２０が表面でリバーシブルコネクタ１５１に接続される場合、リバーシブルコネクタ１５１の端子「ＣＣ１」は接続がなく、端子「ＣＣ２」はグランドに接続されている。また、状態（Ｂ）に示すように、ケーブル２０が裏面でリバーシブルコネクタ１５１に接続される場合、リバーシブルコネクタ１５１の端子「ＣＣ１」はグランドに接続され、端子「ＣＣ２」は接続がない。したがって、電子機器１０の制御部１６０は、端子「ＣＣ１」または端子「ＣＣ２」の少なくともいずれかの導通状態を監視することで、ケーブル２０が表面または裏面のいずれの面でリバーシブルコネクタ１５１に接続されているかを検出する。
【００３５】
コネクタ表裏検出部１６１は、このようにして、ケーブル２０のリバーシブルコネクタ１５１における接続面が表面であるか裏面であるかを検出する。ここで、ケーブル２０の各接点端子についてさらに詳しく説明する。
【００３６】
図５は、ケーブル２０の詳細を示す図である。図５の例では、ケーブル２０の具体例として実施例（Ａ）にケーブル２０Ａの詳細を示し、実施例（Ｃ）にケーブル２０Ｂの詳細を示す。なお、ケーブル２０と比較するため、通常のケーブルの構成であるケーブル４０を例（Ｂ）に示す。
【００３７】
図５の実施例（Ａ）に示すように、ケーブル２０Ａは、両端にあるコネクタの一方が、「ＵＳＢ  Ｔｙｐｅ−Ｃ」規格に準拠したコネクタであり、もう一方のコネクタが、「ＵＳＢ  Ｔｙｐｅ−Ａ」規格に準拠したコネクタである。実施例（Ａ）に示すように、「ＵＳＢ  Ｔｙｐｅ−Ｃ」規格に準拠したコネクタは、接点端子面（Ｔｙｐｅ−Ｃ）２１Ａを含む。また、「ＵＳＢ  Ｔｙｐｅ−Ａ」規格に準拠したコネクタは、接点端子面２８を含む。ケーブル２０Ａは、電子機器１０と充電回路３０とを接続する。ケーブル２０Ａは、接点端子面（Ｔｙｐｅ−Ｃ）２１Ａの端子「ＣＣ２」がケーブルの内部で端子「ＧＮＤ」に直結されている。したがって、電子機器１０は、電子機器１０側のリバーシブルコネクタ１５１における端子「ＣＣ１」および端子「ＣＣ２」の電圧を観測することにより、ケーブル２０Ａが表面で接続されているか裏面で接続されているかを検出することができる。
【００３８】
例（Ｂ）に示すように、「ＵＳＢ  Ｔｙｐｅ−Ｃ」規格に準拠したコネクタを有する通常のケーブルであるケーブル４０において、端子「ＣＣ１」および端子「ＣＣ２」は、ケーブル内部でどの信号にも接続されていない。このケーブル４０と、本実施形態の電子機器１０とを接続したとする。この場合、ケーブル４０が表面または裏面のいずれで電子機器１０と接続したとしても、電子機器１０は、表面または裏面のいずれかのみを、ケーブル４０が電子機器１０に接続されている面として検出する。したがって、本実施形態の電子機器１０は、通常のケーブルであるケーブル４０が接続された場合、ケーブル４０が接続された面に応じて異なる処理をすることはできないものの、充電電流の供給およびデータ通信などを行うことができる。
【００３９】
実施例（Ｃ）に示すように、本実施形態のケーブルの変形例として、両端のコネクタがともに「ＵＳＢ  Ｔｙｐｅ−Ｃ」規格に準拠したコネクタを有することとしてもよい。この場合、両端のコネクタのいずれか一方のコネクタにおける端子「ＣＣ１」または端子「ＣＣ２」を、ケーブル内部で端子「ＧＮＤ」に直結させる。これにより、電子機器１０において、充電およびデータ通信などの機能を発揮しつつ、ケーブル２０Ｂが接続される面が表面であるか裏面であるかを検出可能なケーブルを実現することができる。なお、実施例（Ｃ）に示すケーブル２０Ｂは、端子「ＧＮＤ」および端子「ＶＢＵＳ」のすべての端子がケーブル内部で接続されていないこととしているが、ケーブル内部で同種の端子を接続してもよい（例えば、Ａ１ピンとＡ１２ピンとを接続してもよい）。また、ケーブル２０Ｂとして示す例において接続されている端子が接続されていないこととしてもよい（例えば、Ａ１ピンとＢ１ピンとが接続されていないこととしてもよい）。
【００４０】
また、電子機器１０においてケーブルの接続面が表面であるか裏面であるかを検出するために端子「ＣＣ１」または端子「ＣＣ２」を端子「ＧＮＤ」と接続することは、ケーブル２０Ｂの内部で行うことができる。そのため、充電回路３０と接点端子面（Ｔｙｐｅ−Ｃ）２１Ａとが一体となった製品を用いた場合も、電子機器１０においてケーブル２０Ｂが接続されている面が表面であるか裏面であるかを検出することができる。
【００４１】
＜動作＞
次に、ケーブルが電子機器１０に接続される面の検出結果に応じて処理を切り替える例を説明する。
【００４２】
図６は、電子機器１０がケーブルの接続面の表裏の検出結果に応じて充電方法を制御する処理を示すフローチャートである。
【００４３】
ステップＳ６１において、電子機器１０の制御部１６０は、ケーブル２０を介して充電回路３０と電子機器１０とが接続されたことを検出する。
【００４４】
ステップＳ６３において、コネクタ表裏検出部１６１は、リバーシブルコネクタ１５１における所定の端子（端子「ＣＣ１」および端子「ＣＣ２」）の導通状態を監視することにより、ケーブルが表面で接続されているか裏面で接続されているかを検出する。ステップＳ６３において、ケーブルが表面で接続されていると検出される場合（ステップＳ６３において「表」）、制御部１６０は、ステップＳ６５の処理を行い、そうでない場合（ステップＳ６３において「裏」）、制御部１６０は、ステップＳ６７の処理を行う。
【００４５】
ステップＳ６５において、充電動作制御部１６２は、充電回路３０から供給される電力により電子機器１０を充電する設定を、設定「急速充電設定」として記憶部１５０または電源制御部１５２等に記憶する。設定「急速充電設定」は、充電回路３０から電子機器１０へ、比較的大きな電流を供給することで、比較的短時間で電子機器１０を充電する設定を示す。
【００４６】
ステップＳ６７において、充電動作制御部１６２は、充電回路３０から供給される電力により電子機器１０を充電する設定を、設定「小電流充電設定」として記憶部１５０または電源制御部１５２等に記憶する。設定「小電流設定」は、充電回路３０から電子機器１０へ、比較的小さな電流を供給することで電子機器１０を充電する設定を示す。
【００４７】
ステップＳ６９において、充電動作制御部１６２は、記憶部１５０等に記憶される設定に応じて、画面表示制御部１６３を充電する。
【００４８】
＜ケーブルが電子機器１０に接続される面に応じた処理の切替結果の報知例＞
次に、ケーブルが電子機器１０に接続される面の検出結果に応じて処理を切り替えた結果をユーザに報知する具体例を説明する。まず、ケーブルが電子機器１０に接続される面の検出結果に応じて処理が切り替わったことを画面に表示する例を説明する。
【００４９】
図７は、電子機器１０に対してケーブルが接続される面に応じて充電の設定が切り替わる処理の画面の表示例を示す図である。図７の画面例（Ａ）は、ケーブルが電子機器１０のリバーシブルコネクタ１５１に対して表向きに挿入されたことをコネクタ表裏検出部１６１が検出し、検出結果に応じて画面表示制御部１６３が画面の表示内容を制御している図を示す。図７の画面例（Ｂ）は、ケーブルが電子機器１０のリバーシブルコネクタ１５１に対して裏向きに挿入されたことをコネクタ表裏検出部１６１が検出し、検出結果に応じて画面表示制御部１６３が画面の表示内容を制御している図を示す。
【００５０】
画面例（Ａ）に示すように、ケーブルがリバーシブルコネクタ１５１に対して表向きに挿入された場合（図６のステップＳ６３において「表」）、画面表示制御部１６３は、ケーブルの挿入の向きの検出結果を検出結果表示部１８５に表示し、急速充電設定であることを充電設定表示部１８４に表示する。
【００５１】
画面例（Ｂ）に示すように、ケーブルがリバーシブルコネクタ１５１に対して裏向きに挿入された場合（図６のステップＳ６３において「裏」）、画面表示制御部１６３は、ケーブルの挿入の向きの検出結果を検出結果表示部１８５に表示し、通常充電中であることを充電設定表示部１８４に表示する。なお画面例（Ｂ）では、電子機器１０が充電とともに、ケーブルを介して接続される他の装置とデータ通信中であることを充電設定表示部１８４に表示している。
【００５２】
また、電子機器１０は、ＬＥＤ（Light  Emitting  Diode）等の発光部を備え、電子機器１０が充電されている状態であるか否かを、発光部の発光によりユーザに報知するものもある。電子機器１０は、電子機器１０に対してケーブルが接続される面に応じて充電の設定が切り替わることを、発光部の発光方法を制御することでユーザに報知することとしてもよい。例えば、電子機器１０に対してケーブルが接続される面に応じて、発光色を変化させる、発光部の点滅の状態を変化させる等により、充電の設定が急速充電設定であるか通常充電中であるかをユーザに報知することができる。
【００５３】
＜変形例＞
以上の実施形態の説明では、リバーシブルコネクタ１５１に対して挿入可能なコネクタの例として、「ＵＳＢ  Ｔｙｐｅ−Ｃ」規格に準拠したコネクタの例を説明したが、表裏のどちらからでも挿入可能なコネクタであれば、他のコネクタであってもよい。例えば、Ｌｉｇｈｔｎｉｎｇ（登録商標）コネクタなどのコネクタであってもよい。
【００５４】
実施形態で説明した電子機器及びケーブルによると、リバーシブル仕様のコネクタを使用することで、コネクタの表面でケーブルと電子機器とを接続した場合は急速充電を設定し、コネクタの裏面でケーブルと電子機器とを接続した場合は充電電流を低く設定する。ユーザは、コネクタが表面であるか裏面であるかを、例えば、コネクタの外観から視認できるように刻印された印に基づき判別することができる。
【００５５】
これら実施形態で説明した電子機器及びケーブルによると、ユーザがコネクタ上のスイッチ等の機械的位置を変更するという作業なしに、所望の機能をユーザが簡単に切り替えることができる。また、コネクタの構造も簡単になるため製造時のコストアップもなく、製造工程も複雑になることがない。
【００５６】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００５７】
１０  電子機器、２０  ケーブル、２１  接点端子部、２８  接点端子面、３０  充電回路、４０  ケーブル１０１  アンテナ、１１１  無線通信部、１４１  タッチパネル、１４２  ディスプレイ、１４３  物理操作キー、１４４  カメラ、１４６  音声処理部、１４７  マイク、１４８  スピーカ、１５０  記憶部、１５１  リバーシブルコネクタ、１５２  電源制御部、１５３  バッテリ、１６０  制御部、１６１  コネクタ表裏検出部、１６２  充電動作制御部、１６３  画面表示制御部、１８４  充電設定表示部、１８５  検出結果表示部。
【図１】
2016220422.tif 000003
【図２】
2016220422.tif 000004
【図３】
2016220422.tif 000005
【図４】
2016220422.tif 000006
【図５】
2016220422.tif 000007
【図６】
2016220422.tif 000008
【図７】
2016220422.tif 000009